(57)【特許請求の範囲】
【請求項１】
複数の発光素子を線状に設けて発光させ、猪を刺激して撃退するようにした猪撃退装置において、
第１〜第ｎの発光素子を群としたとき２以上の群の第１〜第ｎの発光素子（２０Ａ，２０Ｂ，２０Ｃ，２０Ｄ）のアノードが共通駆動電圧線（３０）に接続され、２以上の群の第１〜第ｎの発光素子（２０Ａ，２０Ｂ，２０Ｃ，２０Ｄ）のカソードが同一番号同士を各々個別制御信号線（３１Ａ，３１Ｂ，３１Ｃ，３１Ｄ）に接続された発光素子群（１１Ａ，１１Ｂ，１１Ｃ）と、
複数の個別制御信号線（３１Ａ，３１Ｂ，３１Ｃ，３１Ｄ）と接地との間を接続し遮断する複数のスイッチング手段（１４Ａ，１４Ｂ，１４Ｃ，１４Ｄ）と、
複数の各群の第１〜第ｎの発光素子（２０Ａ，２０Ｂ，２０Ｃ，２０Ｄ）が第１から第ｎの発光素子に向けて順番に素早く又はゆっくりと点灯し消灯する第１、第２の発光パターン、複数のうちの同一の群に属する第１〜第ｎの発光素子（２０Ａ，２０Ｂ，２０Ｃ，２０Ｄ）が徐々に照度を増加する蛍点灯と消灯、点灯と徐々に照度が減少する蛍消灯、蛍点灯と蛍消灯の組合せで点灯し消灯する第３の発光パターン、複数の各群の第１〜第ｎの発光素子（２０Ａ，２０Ｂ，２０Ｃ，２０Ｄ）の全てが点灯する第４の発光パターン、複数の各群の第１〜第ｎの発光素子（２０Ａ，２０Ｂ，２０Ｃ，２０Ｄ）の全てが同時に点灯し同時に消灯する第５の発光パターン、複数の各群の第１〜第ｎの発光素子（２０Ａ，２０Ｂ，２０Ｃ，２０Ｄ）のうちの奇数番目の発光素子と偶数番目の発光素子とが交互に素早く又はゆっくりと点灯し消灯する第６、第７の発光パターンを有し、該第１〜第７の発光パターンを順番に又は乱数表によってランダムに選択し又は組み合わせ、該選択し組合せた発光パターンに応じて上記スイッチング手段（１４Ａ，１４Ｂ，１４Ｃ，１４Ｄ）を動作させる制御装置（１３）と、
を備えたことを特徴とする猪撃退装置。
【請求項２】
上記群（１１Ａ，１１Ｂ，１１Ｃ）の構成する複数の発光素子（２０Ａ，２０Ｂ，２０Ｃ，２０Ｄ）が青色又は紫色に発光する素子である請求項１記載の猪撃退装置。
【請求項３】
上記発光素子群（１１Ａ，１１Ｂ，１１Ｃ）の共通駆動電圧がパルス電圧である請求項１記載の猪撃退装置。
【請求項４】
上記制御装置（１３）は、照度が徐々に増加する蛍点灯又は照度が徐々に減少する蛍消灯の発光パターンを有し、該蛍点灯又は蛍消灯の発光パターン時に上記発光素子（２０Ａ，２０Ｂ，２０Ｃ，２０Ｄ）に流れる電流が変化するように上記スイッチング手段（１４Ａ，１４Ｂ，１４Ｃ，１４Ｄ）を動作させるようになっている請求項１記載の猪撃退装置。
【請求項５】
太陽電池（１２Ａ）と蓄電池又はコンデンサを備え、昼間に太陽電池（１２Ａ）で発電した電力を蓄電池又はコンデンサに充電し、夜間に駆動電圧を共通駆動電圧線（３０）に与える駆動電圧回路（１２）を更に備えた請求項１記載の猪撃退装置。
【発明の詳細な説明】
【技術分野】
【０００１】
本発明は猪撃退装置に関し、特に簡単な制御で猪が慣れ難い刺激を発生できるようにした装置に関する。
【背景技術】
【０００２】
例えば、山間部においては猪による農作物の被害が大きな問題となっている。また、ゴルフ場では猪がグリーンの芝生やラフを荒らすなどの被害が発生している。
【０００３】
これに対し、特定周波数の超音波を猪に向けて発して猪を撃退するようにした装置が提案されている（特許文献１）。
【０００４】
また、猪が接近したときに警告音を発生して猪を撃退するようにした装置が提案されている（特許文献２）。
【０００５】
さらに、複数のＬＥＤを順次又はランダムに発光させることによって猪に刺激を与えて猪を撃退するようにした装置も提案されている（特許文献３）。
【先行技術文献】
【特許文献】
【０００６】
【特許文献１】特開平１０−１９１８６９号公報
【特許文献２】特開２００７−２８９１４０号公報
【特許文献３】特開２０００−３５０５４９号公報
【発明の開示】
【発明が解決しようとする課題】
【０００７】
しかし、特許文献１、２記載の猪撃退装置では猪の学習能力が非常に優れているので、警告音や超音波などの刺激に対してはすぐに慣れて撃退効果がうすれてしまう。
【０００８】
他方、特許文献３記載の猪撃退装置では４つのＬＥＤをランダムに発光させるので、刺激に対する慣れは少ないものの、５つ以上のＬＥＤを発光させる場合にはロータリスイッチの構造が複雑になるか又は制御装置による制御が非常に複雑になる。
【０００９】
本発明はかかる問題に鑑み、簡単な制御で猪が慣れ難い刺激を発生できるようにした猪撃退装置を提供することを課題とする。
【課題を解決するための手段】
【００１０】
そこで、本発明に係る猪撃退装置は、複数の発光素子を線状に設けて発光させ、猪を刺激して撃退するようにした猪撃退装置において、第１〜第ｎの発光素子を群としたとき２以上の群の第１〜第ｎの発光素子のアノードが共通駆動電圧線に接続され、２以上の群の第１〜第ｎの発光素子のカソードが同一順番同士を各々個別制御信号線に接続された発光素子群と、複数の個別制御信号線と接地との間を接続し遮断する複数のスイッチング手段と、複数の異なる発光パターンを有し、該発光パターンに応じて上記スイッチング手段を動作をさせる制御装置と、を備えたことを特徴とする。
【００１１】
本発明の特徴の１つは複数群の第１〜第ｎの発光素子のアノードを共通駆動電圧線に接続し、各群の発光素子のカソードを同一順番同士毎に個別制御信号線に接続し、個別制御信号線と接地との間を種々な発光パターンに応じてスイッチング手段によって接続し遮断するようにした点にある。
【００１２】
これにより、スイッチング手段は群を構成する発光素子の数だけ設ければよく、ロータリスイッチの接点を発光素子の数だけ設ける場合に比して少なくかつシンプルであり、スイッチング制御も簡単に行うことができ、さらには群を構成する発光素子の数に応じて多種多様なパターンで発光させることができる。
【００１３】
その結果、猪が慣れにくい刺激を発生させることができるので、猪を確実に撃退でき、山間部における田畑の農作物の被害、あるいはゴルフ場におけるグリーンの芝生やラフ等が猪によって荒らされる被害を確実に軽減し抑制できる。
【００１４】
上述のように構成した場合、共通駆動電圧線が長くなり過ぎると、電圧線の抵抗が大きく影響して発光素子の発光効率が低下するおそれがある。そこで、共通駆動電圧線の長さを１０ｍ程度とし、この長さの共通駆動電圧線に発光素子群を接続する。この場合、用いる発光素子の数を考慮すると、隣接する発光素子の間隔は２０ｃｍ以下、好ましくは１０ｃｍ程度とするのがよい。
【００１５】
発光素子の色は白色や赤色でもよいが、猪の色覚は青色系の色彩については明確に区別できるが、赤色や緑色になるにつれて見えにくくなり、灰色と区別できないようである。そこで、発光素子は青色や紫色の光を発光する素子を用いるのが好ましい。
【００１６】
青色又は紫色が含まれていればよいので、他の色の発光素子、例えば黄色、緑色、赤色、白色の発光素子と組み合わせて用いることもできる。
【００１７】
発光素子群の共通駆動電圧はデューティ比を制御することによって発光素子の発光強さを制御できるので、公知のＬＥＤ駆動電圧、即ちパルス電圧を用いるのがよい。
【００１８】
発光素子の発光パターンは点灯・消灯の組合せパターンでもよいが、蛍点灯（徐々に点灯する）や蛍消灯（点灯して徐々に消灯する）の発光パターンを組合せるようにすると、発光パターンの種類を増加させることができ、これによっても猪の慣れを確実に回避することができる。
【００１９】
この蛍点灯・蛍消灯の発光パターン時には発光素子を流れる電流が変化するようにスイッチング手段を動作させるようにすると、所望の蛍点灯や蛍消灯の発光パターンを得ることができる。
【００２０】
発光素子の駆動は商用電源でもよいが、山間部やゴルフ場では商用電源が確保できないことがある。そこで、太陽電池と蓄電池又はコンデンサを備え、昼間に太陽電池で発電した電力を蓄電池又はコンデンサに充電し、夜間に駆動電圧を共通駆動電圧線に与える駆動電圧回路を更に備えるのがよい。
【図面の簡単な説明】
【００２１】
【図１】本発明に係る猪撃退装置の好ましい実施形態を示す回路構成図である。
【図２】上記実施形態における制御信号の例を示す図である。
【図３】上記実施形態における点灯パターンの例を示す図である。
【発明を実施するための形態】
【００２２】
以下、本発明を図面に示す具体例に基づいて詳細に説明する。図１ないし図３は本発明に係る猪撃退装置の好ましい実施形態を示す。図において、猪撃退装置１０は複数のＬＥＤ群１１Ａ、１１Ｂ、１１Ｃ・・・、駆動電圧回路１２、制御装置１３及びスイッチング素子（スイッチング手段）１４Ａ〜１４Ｄから構成され、本例ではスイッチング素子１４Ａ〜１４ＤにはＮＰＮ型トランジスタを用いている。
【００２３】
複数の各ＬＥＤ群１１Ａ、１１Ｂ、１１Ｃ・・・は第１ないし第４の青色又は紫色のＬＥＤ（発光素子）２０Ａ〜２０Ｄから構成され、複数の各ＬＥＤ群１１Ａ、１１Ｂ、１１Ｃ・・・のＬＥＤ２０Ａ〜２０Ｄのアノードは例えば１０ｃｍの間隔Ｌで長さ１０ｍの共通駆動電圧線３０に接続され、カソードは第１のＬＥＤ２０Ａ同士、第２のＬＥＤ２０Ｂ同士、第３のＬＥＤ２０Ｃ同士、第４のＬＥＤ２０Ｄ同士が個別制御信号線３１Ａ、３１Ｂ、３１Ｃ、３１Ｄに接続されている。なお、ＬＥＤ２０Ａ〜２０Ｄは猪の目につきやすいように地面から５０ｃｍ程度の高さに設置するのがよい。
【００２４】
個別制御信号線３１Ａ、３１Ｂ、３１Ｃ、３１Ｄは接地との間にスイッチング素子１４Ａ、１４Ｂ、１４Ｃ、１４Ｄのエミッタ・コレクタが接続され、スイッチング素子１４Ａ、１４Ｂ、１４Ｃ、１４Ｄのベースは制御装置１３に接続され、制御装置１３は複数の発光パターンを記憶しており、発光パターンに応じた制御信号を発生してスイッチング素子１４Ａ、１４Ｂ、１４Ｃ、１４ＤのＯＮ・ＯＦＦ及びＯＮ時におけるスイッチング素子１４Ａ、１４Ｂ、１４Ｃ、１４Ｄの通電電流の制御を行うようになっている。
【００２５】
共通駆動電圧線３０は駆動電圧回路１２に接続され、駆動電圧回路１２は太陽電池１２Ａとコンデンサを備え、昼間に太陽電池１２Ａの発電電力をコンデンサに充電し、夜間に共通駆動電圧線３０にデューティ比を制御されたパルス駆動電圧を印加するようになっている。
【００２６】
駆動電圧回路３０及び制御装置１３は光センサー（図示せず）の信号によって昼間と夜間を区別するようになっている。
【００２７】
昼間、太陽電池１２Ａの発電電力が蓄電池（又はコンデンサ）に充電され、夜間になると、駆動電圧回路１２から共通駆動電圧線３０にパルス駆動電圧が印加される。他方、制御装置１３は内蔵記憶手段に複数の発光パターンを記憶しており、例えばゆっくり順番に点灯していくパターンＮｏ．１が選択されると、図２のような制御信号が出力される。
【００２８】
すると、制御信号Ａ、Ｂ、Ｃ、Ｄが個別制御信号線３１Ａ、３１Ｂ、３１Ｃ、３１Ｄに与えられ、複数のＬＥＤ群１１Ａ、１１Ｂ、１１Ｃ、１１Ｄ・・・の第１のＬＥＤ２０Ａが発光して消灯し、所定のタイミング遅れて第２のＬＥＤ２０Ｂが発光・消灯し、更に所定のタイミング遅れて第３のＬＥＤ２０Ｃが発光・消灯し、所定のタイミング遅れて第４のＬＥＤ２０Ｄが発光・消灯し、こうしてＬＥＤ２０Ａ、２０Ｂ、２０Ｃ、２０Ｄが順番にゆっくりと点灯し消灯する。
【００２９】
また、パターンＮｏ．２が選択されると、今度はＬＥＤ２０Ａ、２０Ｂ、２０Ｃ、２０Ｄが順番に早く点灯し消灯される。
【００３０】
また、パターンＮｏ．３が選択されると、ＬＥＤ２０Ａ、２０Ｂ、２０Ｃ、２０Ｄの全部が同期して点灯し、蛍のように徐々に消灯する動作を繰り返す。この蛍消灯は制御信号の波形を図２の（ｂ）に示すようにまっすぐ立ち上がり徐々に立ち下がる信号波形にすることによって得ることができる。
【００３１】
また、制御信号の波形を図２の（ｃ）に示すように徐々に立ち上がりまっすぐに立ち下がる信号波形にすることによって蛍のように徐々に点灯させることができる。
【００３２】
さらに、パターンＮｏ．４が選択されると、ＬＥＤ２０Ａ、２０Ｂ、２０Ｃ、２０Ｄの全部が同期して点灯し続ける。この全部点灯によって故障したＬＥＤを発見することができる。
【００３３】
また、パターンＮｏ．５が選択されると、ＬＥＤ２０Ａ、２０Ｂ、２０Ｃ、２０Ｄの全部が同期して点灯し同期して消灯し、このような点灯消灯が繰り替えされる。
する。                                                                                
【００３４】
さらに、パターンＮｏ．６が選択されると、第１と第３のＬＥＤ２０Ａ、２０Ｃ、第２と第４のＬＥＤ２０Ｂ、２０Ｄが交互に早く点灯・消滅し、パターンＮｏ．７が選択されると、今度は第１と第３のＬＥＤ２０Ａ、２０Ｃ、第２と第４のＬＥＤ２０Ｂ、２０Ｄが交互にゆっくりと点灯・消滅する。
【００３５】
また、上述のようなパターンＮｏ．１、Ｎｏ．２、Ｎｏ．５、Ｎｏ．６、Ｎｏ．７と蛍点灯、蛍消灯を組み合わせたパターンを採用することもできる。
【００３６】
制御装置１３は上述のようなパターンＮｏ．１〜Ｎｏ．７及びパターンＮｏ．１、Ｎｏ．２、Ｎｏ．５、Ｎｏ．６、Ｎｏ．７と蛍点灯・蛍消灯を組合わせたパターンを順番に、又は例えば乱数表などを利用してランダムに選択してＬＥＤ２０Ａ、２０Ｂ、２０Ｃ、２０Ｄを様々なパターンで発光させる。
【００３７】
以上のように、多種多様なパターンで複数のＬＥＤ２０Ａ、２０Ｂ、２０Ｃ、２０Ｄを発光させることができるので、猪を刺激して確実に撃退することができる。
【００３８】
なお、上記では青色又は紫色のＬＥＤを用いるようにしたが、青色、紫色、緑色、黄色、赤色、白色のＬＥＤを順番にあるいはランダムに用いて発光パターンに多様性を与えるようにしてもよい。
【００３９】
また、上記ではスイッチング手段にトランジスタを用いたが、例えばスイッチング手段と制御装置をマイクロコンピュータで構成し、個別制御信号線と接地との間にスイッチング機能又はスイッチ機能と抵抗機能を有する手段を設け、ＬＥＤをＯＮＯＦＦし、ＬＥＤに流れる電流を変化させるようにスイッチ機能手段又はスイッチ抵抗機能手段の制御を行えばよい。
【符号の説明】
【００４０】
１０      猪撃退装置
１１Ａ、１１Ｂ、１１Ｃ      第１〜第３のＬＥＤ群
１２      駆動電圧回路
１３      制御装置
１４Ａ、１４Ｂ、１４Ｃ、１４Ｄ        スイッチング素子（スイッチング手段）
２０Ａ、２０Ｂ、２０Ｃ、２０Ｄ        第１〜第４のＬＥＤ
３０      共通駆動電圧線
３１Ａ、３１Ｂ、３１Ｃ、３１Ｄ        個別制御信号線
【図１】
0005546207.tif 000002
【図２】
0005546207.tif 000003
【図３】
0005546207.tif 000004